【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
第１のユーザークライアント端末によって送信される、新規構築３次元モデルに対する第１のモデル提出要求を受信することであって、前記新規構築３次元モデルは、初期３次元モデルをベースとして構築され、及び前記初期３次元モデルに対する前記新規構築３次元モデルの変更情報は、前記第１のモデル提出要求によって搬送される、受信することと、
前記初期３次元モデルのモデル識別子及び前記変更情報を前記新規構築３次元モデルのモデルデータとして記憶することと
を含む３次元モデル構築方法。
【請求項２】
第１のユーザークライアント端末によって送信される、新規構築３次元モデルに対する第１のモデル提出要求を前記受信することの前に、
前記第１のユーザークライアント端末によって送信される、前記初期３次元モデルに対するモデル取得要求を受信することと、
前記初期３次元モデルのモデルデータを取得することと、
前記初期３次元モデルの前記モデルデータを前記第１のユーザークライアント端末に返送することと
を更に含む、請求項１に記載の３次元モデル構築方法。
【請求項３】
前記初期３次元モデルのモデルデータを前記取得することは、
前記初期３次元モデルの前記モデル識別子に従い、前記初期３次元モデルの構築のベースとなる３次元モデルのモデル識別子と、前記ベースとなる３次元モデルに対する前記初期３次元モデルの変更情報とを取得することと、
前記ベースとなる３次元モデルの前記モデル識別子に従い、前記ベースとなる３次元モデルのモデルデータを取得することと、
前記ベースとなる３次元モデルの前記モデルデータ及び前記ベースとなる３次元モデルに対する前記変更情報に従い、前記初期３次元モデルの前記モデルデータを生成することと
を含む、請求項２に記載の３次元モデル構築方法。
【請求項４】
前記第１のユーザークライアント端末によって送信される、前記初期３次元モデルに対するモデル取得要求を前記受信することの後に、且つ前記初期３次元モデルの前記モデルデータを前記第１のユーザークライアント端末に前記返送することの前に、
前記初期３次元モデルの変更制限情報を取得すること
を更に含み、前記初期３次元モデルの前記モデルデータを前記第１のユーザークライアント端末に前記返送することは、前記初期３次元モデルの前記モデルデータ及び前記初期３次元モデルの前記変更制限情報を前記第１のユーザークライアント端末に返送することによって実行される、請求項２に記載の３次元モデル構築方法。
【請求項５】
前記初期３次元モデルの前記モデルデータは、以下のステップ：
第２のユーザークライアント端末によって送信される、前記初期３次元モデルの第２のモデル提出要求を受信することであって、前記第２のモデル提出要求は、前記初期３次元モデルの前記モデルデータを含む、受信することと、
前記初期３次元モデルの前記モデル識別子を生成することと、
前記初期３次元モデルの前記モデル識別子と、前記初期３次元モデルの前記モデルデータとの間の対応関係のレコードを記憶することと
において収集される、請求項２に記載の３次元モデル構築方法。
【請求項６】
前記初期３次元モデルの前記変更制限情報は、前記第２のモデル提出要求によって更に搬送され、及び前記方法は、
前記初期３次元モデルの前記変更制限情報を記憶すること
を更に含む、請求項５に記載の３次元モデル構築方法。
【請求項７】
前記新規構築３次元モデルの変更制限情報は、前記第１のモデル提出要求によって更に搬送され、及び前記方法は、
前記新規構築３次元モデルの前記変更制限情報を記憶すること
を更に含む、請求項１に記載の３次元モデル構築方法。
【請求項８】
前記変更制限情報は、少なくとも１つの変更不可能なモデル要素の情報を含む、請求項４、６又は７のいずれか一項に記載の３次元モデル構築方法。
【請求項９】
前記変更情報は、以下の変更情報：新規要素に対応するモデルデータ及び位置情報、削除された要素の要素識別子、及び変更された要素の要素識別子並びに変更されたモデルデータの少なくとも１つを含む、請求項１に記載の３次元モデル構築方法。
【請求項１０】
前記初期３次元モデルの前記モデル識別子は、前記第１のモデル提出要求によって更に搬送される、請求項１に記載の３次元モデル構築方法。
【請求項１１】
前記初期３次元モデルの前記モデルデータは、前記第１のモデル提出要求によって更に搬送され、及び
前記初期３次元モデルの前記モデル識別子及び前記変更情報を前記新規構築３次元モデルのモデルデータとして前記記憶することの前に、前記方法は、
前記初期３次元モデルのモデル識別子を生成することと、
前記初期３次元モデルの前記モデル識別子と、前記初期３次元モデルの前記モデルデータとの間の対応関係のレコードを記憶することと
を更に含む、請求項１に記載の３次元モデル構築方法。
【請求項１２】
第１のユーザークライアント端末によって送信される、新規構築３次元モデルに対する第１のモデル提出要求を受信するように構成された受信ユニットであって、前記新規構築３次元モデルは、初期３次元モデルをベースとして構築され、及び前記初期３次元モデルに対する前記新規構築３次元モデルの変更情報は、前記第１のモデル提出要求によって搬送される、受信ユニットと、
前記初期３次元モデルのモデル識別子及び前記変更情報を前記新規構築３次元モデルのモデルデータとして記憶するように構成された記憶ユニットと
を含む３次元モデル構築装置。
【請求項１３】
プロセッサと、
３次元モデル構築方法を実行するプログラムを記憶するように構成されたメモリと
を含む電子機器であって、前記電子機器が電源投入され、及び前記３次元モデル構築方法の前記プログラムが前記プロセッサを通して実行された後、以下のステップ：
第１のユーザークライアント端末によって送信される、新規構築３次元モデルに対する第１のモデル提出要求を受信することであって、前記新規構築３次元モデルは、初期３次元モデルをベースとして構築され、及び前記初期３次元モデルに対する前記新規構築３次元モデルの変更情報は、前記第１のモデル提出要求によって搬送される、受信することと、
前記初期３次元モデルのモデル識別子及び前記変更情報を前記新規構築３次元モデルのモデルデータとして記憶することと
を実行する、電子機器。
【請求項１４】
ユーザーによって提出される、新規構築３次元モデルに対するモデル提出命令を受信することであって、前記新規構築３次元モデルは、初期３次元モデルをベースとして構築される、受信することと、
前記初期３次元モデルに対する前記新規構築３次元モデルの変更情報を取得することと、
前記新規構築３次元モデルに対するモデル提出要求をサーバに送信することと
を含む３次元モデル構築方法であって、前記初期３次元モデルに対する前記新規構築３次元モデルの前記変更情報は、前記第１のモデル提出要求によって搬送される、３次元モデル構築方法。
【請求項１５】
ユーザーによって提出される、新規構築３次元モデルに対するモデル提出要求を前記受信することの前に、
前記初期３次元モデルに対するモデル取得要求を前記サーバに送信することと、
前記サーバによって返送された前記初期３次元モデルのモデルデータを受信することと、
前記受信されたモデルデータに従って前記初期３次元モデルを提示することと
を更に含む、請求項１４に記載の３次元モデル構築方法。
【請求項１６】
前記サーバによって返送された前記初期３次元モデルのモデルデータを前記受信することは、前記サーバによって返送された前記初期３次元モデルの前記モデルデータ及び前記初期３次元モデルの変更制限情報を受信することによって実行される、請求項１５に記載の３次元モデル構築方法。
【請求項１７】
前記受信されたモデルデータに従って前記初期３次元モデルを前記提示することは、
前記変更制限情報に従い、前記初期３次元モデルにおける変更不可能なモデル要素の要素識別子を取得することと、
前記受信されたモデルデータに従って前記初期３次元モデルを提示し、且つ前記初期３次元モデルの提示中、前記変更不可能なモデル要素を変更不可能な状態に設定することとを含む、請求項１６に記載の３次元モデル構築方法。
【請求項１８】
ユーザーによって提出される、新規構築３次元モデルに対するモデル提出命令を前記受信することの後に、
前記変更制限情報に従い、前記初期３次元モデルにおける変更不可能なモデル要素が変更されているか否かを判定し、且つ変更されている場合、制限外変更に関する通知情報を前記ユーザーに提供すること
を更に含む、請求項１７に記載の３次元モデル構築方法。
【請求項１９】
前記受信されたモデルデータは、モデル参照モデルデータを含み、及び
前記受信されたモデルデータに従って前記初期３次元モデルを前記提示することは、
前記受信されたモデルデータを解析して、解析されたモデルデータを得ることと、
前記解析されたモデルデータに従って前記初期３次元モデルを提示することと
を含む、請求項１５に記載の３次元モデル構築方法。
【請求項２０】
前記受信されたモデルデータに従って前記初期３次元モデルを前記提示することは、前記受信されたモデルデータに従って仮想現実初期３次元モデルを提示することによって実行される、請求項１５に記載の３次元モデル構築方法。
【請求項２１】
前記新規構築３次元モデルに対するモデル提出要求を前記サーバに前記送信することの前に、
前記新規構築３次元モデルの変更制限情報を取得すること
を更に含み、前記新規構築３次元モデルの前記変更制限情報は、前記モデル提出要求によって更に搬送される、請求項１４に記載の３次元モデル構築方法。
【請求項２２】
前記変更制限情報は、少なくとも１つの変更不可能なモデル要素の情報を含む、請求項１６又は２１に記載の３次元モデル構築方法。
【請求項２３】
前記変更情報は、以下の変更情報：新規要素に対応するモデルデータ及び位置情報、削除された要素の要素識別子、及び変更された要素の要素識別子並びに変更されたモデルデータの少なくとも１つを含む、請求項１４に記載の３次元モデル構築方法。
【請求項２４】
初期３次元モデルに基づいて新規構築３次元モデルを構築するように構成されたモデルデータ編集ユニットと、
ユーザーによって提出される、前記新規構築３次元モデルに対するモデル提出命令を受信するように構成されたモデル提出命令受信ユニットと、
前記初期３次元モデルに対する前記新規構築３次元モデルの変更情報を取得するように構成された変更情報取得ユニットと、
前記新規構築３次元モデルに対するモデル提出要求をサーバに送信するように構成されたモデル提出要求送信ユニットと
を含む３次元モデル構築装置であって、前記初期３次元モデルに対する前記新規構築３次元モデルの前記変更情報は、前記第１のモデル提出要求によって搬送される、３次元モデル構築装置。
【請求項２５】
前記初期３次元モデルに対するモデル取得要求を前記サーバに送信するように構成されたモデル取得要求送信ユニットと、
前記サーバによって返送された前記初期３次元モデルのモデルデータを受信するように構成されたモデルデータ受信ユニットと、
前記受信されたモデルデータに従って前記初期３次元モデルを提示するように構成された初期３次元モデル提示ユニットと
を更に含む、請求項２４に記載の３次元モデル構築装置。
【請求項２６】
前記モデルデータ受信ユニットは、前記サーバによって返送された前記初期３次元モデルの前記モデルデータ及び前記初期３次元モデルの変更制限情報を受信するように特に構成され、及び前記装置は、
前記変更制限情報に従い、前記初期３次元モデルにおける変更不可能なモデル要素が変更されているか否かを判定し、且つ変更されている場合、制限外変更に関する通知情報を前記ユーザーに提供するように構成された検出通知ユニット
を更に含む、請求項２５に記載の３次元モデル構築装置。
【請求項２７】
プロセッサと、
３次元モデル構築方法を実行するプログラムを記憶するように構成されたメモリと
を含む電子機器であって、前記電子機器が電源投入され、及び前記３次元モデル構築方法の前記プログラムが前記プロセッサを通して実行された後、以下のステップ：
ユーザーによって提出される、新規構築３次元モデルに対するモデル提出命令を受信することであって、前記新規構築３次元モデルは、初期３次元モデルをベースとして構築される、受信することと、
前記初期３次元モデルに対する前記新規構築３次元モデルの変更情報を取得することと、
前記新規構築３次元モデルに対するモデル提出要求をサーバに送信することと
を実行し、前記初期３次元モデルに対する前記新規構築３次元モデルの前記変更情報は、前記第１のモデル提出要求によって搬送される、電子機器。
【請求項２８】
請求項１２に記載の３次元モデル構築装置と、請求項２４に記載の３次元モデル構築装置とを含む３次元モデル構築システム。